(57)【要約】【課題】複数の画像信号入力端子の各々に順位を設定し、順位が上位の画像入力端子に画像信号が入力されなくなったときに順位が下位の画像入力端子に切り替える画像表示装置を提供する。【解決手段】画像表示装置は、投写中に、選択されている一の画像入力端子に画像信号が検出されない状態で時間Ｔ１を経過すると（ステップＳ２０５：Ｙ）、画像信号が検出された画像入力端子の中で順位が最も上位である画像入力端子に切り替え（ステップＳ２０７）、順位が上位で画像信号が入力されない画像入力端子があることを報知手段により報知する（ステップＳ２０８）。【選択図】図５
2013171235.tif 000002
【特許請求の範囲】
【請求項１】
画像信号が入力される複数の画像入力端子と、
入力された前記画像信号に基づく画像を表示する画像表示手段と、
前記複数の画像入力端子の各々の順位を設定する順位設定手段と、
前記複数の画像入力端子の各々について画像信号が入力されているか否かを検出する画像信号検出手段と、
前記複数の画像入力端子の中からいずれか一つを選択する画像入力選択手段と、
前記画像入力端子の画像信号検出状態を報知する報知手段と、
前記画像入力選択手段が選択した一の画像入力端子に入力される画像信号を前記画像表示手段により表示させる制御手段と、
を備え、
前記制御手段は、前記画像信号検出手段により前記一の画像入力端子に画像信号が入力されない状態が所定時間継続したことを検出した場合に、前記一の画像入力端子より順位が下位である二の画像入力端子に切り替え、前記二の画像入力端子より順位が上位で画像信号が入力されていない前記一の画像入力端子があることを前記報知手段により報知させる、
ことを特徴とする、画像表示装置。
【請求項２】
請求項１に記載の画像表示装置であって、
前記画像信号検出手段により、前記一の画像入力端子より順位が上位である二の画像入力端子に画像信号が入力されたことを検出した場合に前記二の画像入力端子に切り替える、ことを特徴とする、画像表示装置。
【請求項３】
画像信号が入力される複数の画像入力端子と、前記入力される画像信号に基づく画像を表示する画像表示手段と、前記複数の画像入力端子各々の順位を設定する順位設定手段と、を備えた画像表示装置の制御方法であって、
前記複数の画像入力端子の中からいずれか一つを選択する入力選択ステップと、
前記複数の画像入力端子各々について画像信号が入力されているか否かを検出する信号検出ステップと、
前記選択ステップにより選択された一の画像入力端子に入力される画像信号を前記画像表示手段により表示させる画像表示ステップと、
前記検出ステップにより、前記一の画像入力端子に画像信号が入力されない状態が所定時間継続したことを検出した場合に、前記一の画像入力端子より順位が下位である二の画像入力端子に切り替える制御ステップと、
前記二の画像入力端子より順位が上位で画像信号が入力されていない一の画像入力端子があることを報知する報知ステップと、
を有することを特徴とする、画像表示装置の制御方法。
【発明の詳細な説明】
【技術分野】
【０００１】
本発明は、画像表示装置、及び画像表示装置の制御方法に関する。
【背景技術】
【０００２】
複数の画像入力端子を備えた画像表示装置において、各画像入力端子に異なる画像供給装置を接続し、画像供給装置より画像信号が入力されている複数の画像入力端子を切り替えながらプレゼンテーションを行うことがある。
この際、表示中の画像信号を入力している画像供給装置に何らかの異常が発生し、画像表示装置に画像信号が入力されなくなった場合、ユーザーがそばにいなければ、他の画像入力端子に切り替えて他の画像供給装置の画像を表示するなどの対処ができず、デモンストレーションが中断してしまう虞があった。
【０００３】
特許文献１には、複数の画像入力端子を備えた装置で、優先度が設定された画像入力端子に画像信号が入力されない場合、画像信号が最後に入力された他の画像入力端子に切り替える方法が開示されている。この方法によれば、使用している画像入力端子に画像信号が入力されなくなった場合、画像信号が入力されている他の画像入力端子に切り替えることができる。
【先行技術文献】
【特許文献】
【０００４】
【特許文献１】特開５−３１４８５１公報
【発明の概要】
【発明が解決しようとする課題】
【０００５】
しかしながら、特許文献１の方法では、優先度が設定された画像入力端子に画像信号が入力されていない状態では、他の画像入力端子に新たに画像信号が入力されるたびに表示する画像入力端子が切り替わってしまうので、２つ以上の画像入力端子に優先度を設定し優先順に画像を表示することできなかった。
また、画像信号が入力されなければ画像入力端子が直ちに切り替わるため、画像供給装置の種類によって、一時的に画像信号の入力が中断し、すぐに復帰するような場合、表示中の画面が頻繁に切り替わってしまい、見にくくなるという問題があった。
【課題を解決するための手段】
【０００６】
本発明は、上述の課題の少なくとも一部を解決するためになされたものであり、以下の形態または適用例として実現することが可能である。
【０００７】
［適用例１］本適用例に係る画像表示装置は、画像信号が入力される複数の画像入力端子と、入力された前記画像信号に基づく画像を表示する画像表示手段と、前記複数の画像入力端子の各々の順位を設定する順位設定手段と、前記複数の画像入力端子の各々について画像信号が入力されているか否かを検出する画像信号検出手段と、前記複数の画像入力端子の中からいずれか一つを選択する画像入力選択手段と、前記画像入力端子の画像信号検出状態を報知する報知手段と、前記画像入力選択手段が選択した一の画像入力端子に入力される画像信号を前記画像表示手段により表示させる制御手段と、を備え、前記制御手段は、前記画像信号検出手段により前記一の画像入力端子に画像信号が入力されない状態が所定時間継続したことを検出した場合に、前記一の画像入力端子より順位が下位である二の画像入力端子に切り替え、前記二の画像入力端子より順位が上位で画像信号が入力されていない前記一の画像入力端子があることを前記報知手段により報知させる、ことを特徴とする。
【０００８】
本適用例によれば、複数の画像入力端子の各々に順位が設定され、選択されている一の画像入力端子に画像信号が入力されない状態が所定時間継続した場合に、次の順位の画像入力端子に切り替わるとともに、順位の上位に画像信号が入力されない一の画像入力端子があることが報知される。これによって、一時的に画像信号が途切れることが発生しても画像入力端子が短時間で複数回切り替わるような見にくい状態を防止し、所定時間画像信号が入力されない場合は順位が下位の画像入力端子に順次切り替えて画像の投写を継続することができる。選択されている画像入力端子に画像信号が入力されている場合、順位が下位の画像入力端子に画像信号が入力されても画像入力端子は切り替わらないので常に順位が上位の画像入力端子の画像を優先して表示することができる。また、順位が下位の画像入力端子に切り替わった場合、順位が上位で画像信号が入力されない画像入力端子があることをユーザーに報知し、対処を促すことが可能となる。
【０００９】
［適用例２］上記適用例に記載の画像表示装置において、前記画像信号検出手段により、前記一の画像入力端子より順位が上位である二の画像入力端子に画像信号が入力されたことを検出した場合に前記二の画像入力端子に切り替える、ことを特徴とする。
【００１０】
本適用例によれば、選択された画像入力端子より順位が上位の画像入力端子に画像信号が入力されたことを検出した場合に、検出された上位の画像入力端子に切り替える。これにより、画像信号が入力されなくなり、順位が下位である画像入力端子に切り替わった後で、上位の画像入力端子に再度画像信号が入力されるようになった場合、ユーザーの手を煩わせることなく、自動的に上位の画像入力端子に切り替えることが可能となる。
【００１１】
［適用例３］本適用例に係る画像表示装置の制御方法は、画像信号が入力される複数の画像入力端子と、前記入力される画像信号に基づく画像を表示する画像表示手段と、前記複数の画像入力端子各々の順位を設定する順位設定手段と、を備えた画像表示装置の制御方法であって、前記複数の画像入力端子の中からいずれか一つを選択する入力選択ステップと、前記複数の画像入力端子各々について画像信号が入力されているか否かを検出する信号検出ステップと、前記選択ステップにより選択された一の画像入力端子に入力される画像信号を前記画像表示手段により表示させる画像表示ステップと、前記検出ステップにより、前記一の画像入力端子に画像信号が入力されない状態が所定時間継続したことを検出した場合に、前記一の画像入力端子より順位が下位である二の画像入力端子に切り替える制御ステップと、前記二の画像入力端子より順位が上位で画像信号が入力されていない一の画像入力端子があることを報知する報知ステップと、を有することを特徴とする。
【００１２】
本適用例によれば、複数の画像入力端子の各々に順位が設定され、選択されている画像入力端子に画像信号が入力されない状態が所定時間継続した場合に次の順位の画像入力端子に切り替わるとともに、上位に画像信号が入力されない画像入力端子があることが報知される。これによって、一時的に画像信号が途切れることが発生しても画像入力端子が短時間で複数回切り替わるような見にくい状態を防止し、所定時間画像信号が入力されない場合は順位が下位の画像入力端子に順次切り替えて画像の投写を継続することができる。選択されている画像入力端子に画像信号が入力されている場合、順位が下位の画像入力端子に画像信号が入力されても画像入力端子は切り替わらないので常に順位が上位の画像入力端子の画像を優先して表示することができる。また、順位が下位の画像入力端子に切り替わった場合、順位が上位で画像信号が入力されない画像入力端子があることをユーザーに報知し、対処を促すことが可能となる。
【図面の簡単な説明】
【００１３】
【図１】プロジェクターの概略構成を示すブロック図。
【図２】順位設定手段により設定された各画像入力端子の順位を示す図。
【図３】プロジェクターの画面遷移を示す図。
【図４】プロジェクターが起動する時の動作を示すフローチャート。
【図５】プロジェクターが画像投写中に選択されている画像入力端子に画像信号が検出されなくなった時の動作を示すフローチャート。
【図６】プロジェクターが各画像入力端子の画像信号検出状態を定期的に監視するときの動作を示すフローチャート。
【図７】入力操作手段の操作キーを示す概略平面図。
【図８】リモコンの操作キーを示す概略平面図。
【図９】いずれの画像入力端子にも画像信号が入力されていない警告メッセージの図。
【発明を実施するための形態】
【００１４】
以下、図面を参照して本発明の一実施形態であるプロジェクターについて説明するが、以下の実施形態は特許請求の範囲にかかる発明を限定するものではなく、また、実施形態における特徴の組み合わせの全てが発明の解決手段に必須であるとは限らない。
【００１５】
（第１実施形態）
図１は、本実施形態のプロジェクターの概略構成を示すブロック図である。
図１に示すように、プロジェクター１００は、画像入力端子６、画像投写手段１０、画像信号検出手段１５、ＯＳＤ処理手段１６、画像信号処理手段１７、画像入力選択手段１８、制御手段２０、記憶手段２１、光源制御手段２２、入力操作手段２３、操作信号受信手段２４、報知手段２７等で構成されており、これらは図示しない筐体の内部、または外面に収容されている。
【００１６】
画像表示手段としての画像投写手段１０は、光源１１、光変調装置としての３つの液晶ライトバルブ１２Ｒ，１２Ｇ，１２Ｂ、投写光学系としての投写レンズ１３、液晶駆動手段１４等を含んでいる。画像投写手段１０は、光源１１から射出された光を、液晶ライトバルブ１２Ｒ，１２Ｇ，１２Ｂで変調して画像光を形成し、この画像光を投写レンズ１３から投写することによってスクリーンＳＣ等に画像を表示する。
【００１７】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。
光源１１から射出された光は、図示しないインテグレーター光学系によって輝度分布が略均一な光に変換され、図示しない色分離光学系によって光の３原色である赤色（Ｒ），緑色（Ｇ），青色（Ｂ）の各色光成分に分離された後、それぞれ液晶ライトバルブ１２Ｒ，１２Ｇ，１２Ｂに入射する。
【００１８】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリックス状に配列された複数の画素（図示せず）が形成されており、液晶に対して画素毎に駆動電圧を印加可能になっている。
液晶駆動手段１４が、入力される画像情報に応じた駆動電圧を各画素に印加すると、各画素は、画像情報に応じた光透過率に設定される。このため、光源１１から射出された光は、この液晶ライトバルブ１２Ｒ，１２Ｇ，１２Ｂを透過することによって変調され、画像情報に応じた画像光が色光毎に形成される。
形成された各色の画像光は、図示しない色合成光学系によって画素毎に合成されてカラーの画像光となった後、投写レンズ１３によってスクリーンＳＣ等に拡大投写される。
【００１９】
本実施形態では、光源として光源ランプ１１ａを用いて投写するプロジェクター１００を例示したが、本発明は光源としてＬＥＤ（Light Emitting Diode）光源やレーザー光源などを用いて投写するプロジェクターにも適用することができる。
【００２０】
なお、本実施形態では、画像投写手段１０は、光変調装置としての３つの液晶ライトバルブ１２Ｒ，１２Ｇ，１２Ｂを用いた透過型液晶方式の投写光学系を例示したが、反射型液晶表示方式やマイクロミラーデバイス方式（ライトスイッチ表示方式）など、他の表示方式の光変調装置を採用しても良い。
【００２１】
制御手段２０は、図示しないＣＰＵ（Central Processing Unit）や、各種データ等の一時記憶に用いられるＲＡＭ（Random Access Memory）等を備え、記憶手段２１に記憶されている制御プログラム（図示せず）に従って動作することによりプロジェクター１００の動作を統括制御する。つまり、制御手段２０は、記憶手段２１とともにコンピューターとして機能する。制御手段２０は、時間を計時するタイマー２０１と、複数の画像入力端子６の各々にプロジェクター１００と接続する順位を設定する順位設定手段２０２とを含み構成される。
【００２２】
図２は、順位設定手段２０２により設定された複数の画像入力端子６の各々の順位を示す図である。図２に示すように、３つの画像入力端子６１〜６３に、図示しない外部の画像供給装置である複数のパーソナルコンピューター（以下、第１のパーソナルコンピューターをＰＣＡ、第２のパーソナルコンピューターをＰＣＢ、第３のパーソナルコンピューターをＰＣＣと省略して呼称する。）が接続されている。
また、画像入力端子６１〜６３には画像入力端子６２（ＰＣＢ）が１番、画像入力端子６３（ＰＣＣ）が２番、画像入力端子６１（ＰＣＡ）が３番というように、プロジェクター１００と優先して接続する順位（順位１，２，３）が設定されている。これらの設定情報は記憶手段２１に保存される。
【００２３】
図１に戻って、記憶手段２１は、図示しないフラッシュメモリーやＦｅＲＡＭ（Ferroelectric RAM：強誘電体メモリー）等の書き換え可能な不揮発性のメモリーにより構成されている。記憶手段２１には、プロジェクター１００の動作を制御するための制御プログラムや、プロジェクター１００の動作条件等を規定する各種設定データ等が記憶されている。
【００２４】
入力操作手段２３は、プロジェクター１００の本体筐体の外面に備えられ、ユーザーからの入力操作を受け付けるものであり、ユーザーがプロジェクター１００に対して各種指示を行うための複数の操作キーを備えている。入力操作手段２３の操作キーを図７に示す。
【００２５】
図７に示すように、入力操作手段２３が備える操作キーとしては、電源のオン・オフを交互に切り替えるための電源キー２３ａや、画像入力選択手段１８により複数の画像入力端子６のうち、いずれかの画像入力端子６に切り替えるための入力切替キー２３ｂ、各種設定を行うための設定メニューを重畳表示させるメニューキー２３ｃ、メニューからユーザーが設定項目を選択するカーソルキー２３ｄ、決定キー２３ｅ、エスケープキー２３ｆ、ヘルプキー２３ｇ等がある。
【００２６】
図１に戻って、操作信号受信手段２４は、遠隔操作で入力操作を行うリモートコントローラー（リモコン／ＲＣ）２５からの操作信号を受信し、ユーザーからの入力操作に応じた、操作信号を制御手段２０に出力する。リモコン２５の操作キーを図８に示す。
図８に示すように、リモコン２５が備える操作キーとしては、入力操作手段２３と同等な電源キー２５ａ、入力切替キー２５ｂ、メニューキー２５ｃ、カーソルキー２５ｄ、決定キー２５ｅ、エスケープキー２５ｆ、ヘルプキー２５ｇの操作キーに加え、画面ミュートキー２５ｈ、画面縦横比切替キー２５ｉ、カラーモード切替キー２５ｊ、番号入力キー２５ｋ等がある。
【００２７】
図１に戻って、複数の画像入力端子６にはビデオ再生装置や、複数のパーソナルコンピューター（ＰＣＡ，ＰＣＢ，ＰＣＣ）等、図示しない外部の画像供給装置から、図示しないケーブルを介して画像情報が入力される。各画像入力端子６に入力された画像情報は、画像入力選択手段１８、及び画像信号検出手段１５に供給される。
【００２８】
ユーザーが、入力操作手段２３に備わる入力切替キー２３ｂを操作して所望の一の画像入力端子６を指定すると、制御手段２０は、一の画像入力端子６に入力される画像信号が画像信号処理手段１７に出力されるよう、画像入力選択手段１８に指示をする。
【００２９】
画像入力選択手段１８は、複数の画像入力端子６のうち、制御手段２０の指示に基づく一の画像入力端子６を選択し、一の画像入力端子６に入力される画像信号を画像信号処理手段１７に出力する。なお、画像入力選択手段１８によって一の画像入力端子６を選択することを「画像入力端子６を切り替える」とも表現する。
【００３０】
画像信号検出手段１５は、制御手段２０の指示に基づき、複数の画像入力端子６の各々について、有効な画像信号が入力されているか否かの検出結果を制御手段２０に通知する。
【００３１】
画像信号処理手段１７は、画像入力選択手段１８から入力される画像情報を、液晶ライトバルブ１２Ｒ，１２Ｇ，１２Ｂの各画素の階調を表す画像情報に変換する。ここで、変換された画像情報は、Ｒ，Ｇ，Ｂの色光別になっており、各液晶ライトバルブ１２Ｒ，１２Ｇ，１２Ｂのすべての画素に対応する複数の画素値によって構成されている。画素値とは、対応する画素の光透過率を定めるものであり、この画素値によって、各画素を透過し射出する光の強弱（階調）が規定される。
【００３２】
ＯＳＤ処理手段１６は、制御手段２０の指示に基づいて、投写画像上に、メニュー画像やメッセージ画像等のＯＳＤ（オンスクリーンディスプレイ）画像を重畳して表示するための処理を行う。ＯＳＤ処理手段１６は、図示しないＯＳＤメモリーを備えており、ＯＳＤ画像を形成するための図形やフォント等を表すＯＳＤ画像情報を記憶している。
制御手段２０が、ＯＳＤ画像の重畳表示を指示すると、ＯＳＤ処理手段１６は、必要なＯＳＤ画像情報をＯＳＤメモリーから読み出し、投写画像上の所定の位置にＯＳＤ画像が重畳されるように、画像信号処理手段１７から入力される画像情報にこのＯＳＤ画像情報を合成する。ＯＳＤ画像情報が合成された画像情報は、液晶駆動手段１４に出力される。なお、制御手段２０からＯＳＤ画像を重畳する旨の指示がない場合には、ＯＳＤ処理手段１６は、画像信号処理手段１７から入力される画像情報を、そのまま液晶駆動手段１４に出力する。
【００３３】
液晶駆動手段１４は、ＯＳＤ処理手段１６から入力される画像情報に従って液晶ライトバルブ１２Ｒ，１２Ｇ，１２Ｂを駆動すると、液晶ライトバルブ１２Ｒ，１２Ｇ，１２Ｂは、画像情報に応じた画像を形成し、この画像が投写レンズ１３から投写される。
【００３４】
光源制御手段２２は、制御手段２０の指示に基づいて、光源１１に対する電力の供給と、停止と、を制御し、光源１１の点灯、及び消灯を切り替える。
【００３５】
報知手段２７は、ＬＥＤなどで構成され、制御手段２０の指示に基づいて、選択されている画像入力端子６より順位が上位で、画像信号が入力されていない画像入力端子６があることを報知する。
【００３６】
次に、本実施形態のプロジェクター１００の画面遷移を、図３を用いて説明する。
図３は、画像入力端子６の画像信号入力状態が変化した場合の画面遷移を示す図である。図３の例では、順位設定手段２０２によって３つの画像入力端子６１，６２，６３（ＰＣＡ，ＰＣＢ，ＰＣＣ）にそれぞれ順位３，１，２の設定がされているものとする（図２参照）。
なお、図３（ａ），（ｂ），（ｃ）において表示されているＰＣＡ，ＰＣＢ，ＰＣＣそれぞれの画像信号入力状態は、実際の画面には表示されない。
【００３７】
図３（ａ）は、プロジェクター１００が起動直後に順位設定手段２０２により設定された順位１の画像入力端子６２が選択され、ＰＣＢから画像入力端子６２に画像信号が入力され、ＰＣＡに接続された画像入力端子６１、及びＰＣＣに接続された画像入力端子６３にもそれぞれ画像信号が入力されている状態を示す。
図３（ａ）の状態から、画像入力端子６２にＰＣＢからの画像信号が入力されなくなり時間Ｔ１を経過すると、順位設定手段２０２により設定された次の順位（順位２）の画像入力端子６３に切り替わり、図３（ｂ）に遷移する。
【００３８】
図３（ｂ）は、画像入力端子６３が選択され、ＰＣＣから画像入力端子６３に画像信号が入力され、ＰＣＢに接続された画像入力端子６２には画像信号が入力されず、ＰＣＡに接続された画像入力端子６１には画像信号が入力されている状態を示す。
図３（ｂ）の状態から、画像入力端子６３にＰＣＣからの画像信号が入力されなくなり時間Ｔ１を経過すると、順位設定手段２０２により設定された次の順位（順位３）の画像入力端子６１に切り替わり、図３（ｃ）に遷移する。
また、図３（ｂ）の状態から、順位設定手段２０２により設定された順位が画像入力端子６３（順位２）より上位である画像入力端子６２（順位１）に、ＰＣＢから画像信号が入力されると、画像入力端子６２に切り替わり、図３（ａ）に遷移する。
【００３９】
図３（ｃ）は、画像入力端子６１が選択され、ＰＣＡから画像入力端子６１に画像信号が入力され、ＰＣＢに接続された画像入力端子６２、及びＰＣＣに接続された画像入力端子６３には画像信号が入力されていない状態を示す。
図３（ｃ）の状態から、順位設定手段２０２により設定された順位が画像入力端子６１（順位３）より上位である画像入力端子６３（順位２）に、ＰＣＣから画像信号が入力されると、画像入力端子６３に切り替わり、図３（ｂ）に遷移する。
また、図３（ｃ）の状態から、順位設定手段２０２により設定された順位が画像入力端子６１（順位３）より上位である画像入力端子６２（順位１）に、ＰＣＢから画像信号が入力されると、画像入力端子６２に切り替わり、図３（ａ）に遷移する。
【００４０】
次に、本実施形態のプロジェクター１００の動作を図４〜６のフローチャートを用いて説明する。図４はプロジェクター１００が起動する時の動作、図５はプロジェクター１００が画像を投写中に選択されている画像入力端子６に画像信号が検出されなくなった時の動作、図６はプロジェクター１００が複数の画像入力端子６の各々の画像信号の検出状態を定期的に監視するときの動作（定時タスクともいう。）をそれぞれ示すフローチャートである。なお、各々の画像入力端子６には、図２で示したように順位設定手段２０２により順位が設定されているものとする。
【００４１】
（プロジェクターが起動するとき）
図４に示すように、プロジェクター１００が入力操作手段２３の電源キー２３ａ（２５ａ）の操作などにより電源オンすると（ステップＳ１０１）、制御手段２０は、画像信号検出手段１５により画像入力端子６の各々の画像信号検出状態を取得し（ステップＳ１０２）、ステップＳ１０３に遷移する。ステップＳ１０２、及び後述するステップＳ２０３、ステップＳ３０２が信号検出ステップに相当する。
【００４２】
ステップＳ１０３において制御手段２０は、ステップＳ１０２において取得した画像信号検出状態に基づき、いずれかの画像入力端子６で画像信号が検出されたか否かを調べる。いずれかの画像入力端子６で画像信号が検出された場合（ステップＳ１０３：Ｙ）、ステップＳ１０４に遷移する。いずれの画像入力端子６からも画像信号が検出されなかった場合（ステップＳ１０３：Ｎ）、ステップＳ１０５に遷移する。
【００４３】
ステップＳ１０４において制御手段２０は、画像入力選択手段１８に指示し、ステップＳ１０２において画像信号が検出された画像入力端子６のうち、順位が最も上位の画像入力端子６に切り替え、ステップＳ１０６に遷移する。
【００４４】
ステップＳ１０５において制御手段２０は、いずれの画像入力端子６にも画像信号が入力されていない警告メッセージＭ１（信号なしメッセージ）を画像投写手段１０により投写し、ステップＳ１０７に遷移する。警告メッセージＭ１を図９に示す。
【００４５】
ステップＳ１０６において制御手段２０は、画像入力選択手段１８により選択されている画像入力端子６に入力される画像信号に基づく画像を画像投写手段１０により投写させ、ステップＳ１０７に遷移する。ステップＳ１０６、及び後述するステップＳ２１０、ステップＳ３０９が画像表示ステップに相当する。
【００４６】
ステップＳ１０７において本動作フローを終了する。
【００４７】
（プロジェクターが投写中に選択されている画像入力端子に画像信号が検出されなくなったとき）
図５に示すように、プロジェクター１００が画像を投写中に、選択されている画像入力端子６から画像信号が検出されなくなると（ステップＳ２０１）、制御手段２０は、タイマー２０１による計時を開始し（ステップＳ２０２）、ステップＳ２０３に遷移する。
【００４８】
ステップＳ２０３において制御手段２０は、画像信号検出手段１５により画像入力端子６の各々の画像信号検出状態を取得し、ステップＳ２０４に遷移する。
【００４９】
ステップＳ２０４において制御手段２０は、選択されている画像入力端子６に画像信号が検出されたか否かを調べる。選択されている画像入力端子６に画像信号が検出された場合（ステップＳ２０４：Ｙ）、ステップＳ２０９に遷移する。選択されている画像入力端子６に画像信号が検出されない場合（ステップＳ２０４：Ｙ）、ステップＳ２０５に遷移する。
【００５０】
ステップＳ２０５において制御手段２０は、タイマー２０１が時間Ｔ１（例えば２秒）を経過したか否かを調べる。タイマー２０１が時間Ｔ１を経過した場合（ステップＳ２０５：Ｙ）、ステップＳ２０６に遷移する。タイマー２０１が時間Ｔ１を経過していない場合（ステップＳ２０５：Ｎ）、ステップＳ２０３に遷移する。
【００５１】
ステップＳ２０６において制御手段２０は、ステップＳ２０３において取得した画像信号検出状態に基づき、選択されている画像入力端子６より順位が下位のいずれかの画像入力端子６で画像信号が検出されたか否かを調べる。選択されている画像入力端子６より順位が下位のいずれかの画像入力端子６で画像信号が検出された場合（ステップＳ２０６：Ｙ）、ステップＳ２０７に遷移する。選択されている画像入力端子６より順位が下位のいずれの画像入力端子６からも画像信号が検出されなかった場合（ステップＳ２０６：Ｎ）、ステップＳ２１５に遷移する。  
【００５２】
ステップＳ２０７において制御手段２０は、画像入力選択手段１８に指示し、ステップＳ２０３において画像信号が検出された画像入力端子６のうち、順位が最も上位の画像入力端子６に切り替え、ステップＳ２０８に遷移する。ステップＳ２０３からステップＳ２０７が制御ステップに相当する。
【００５３】
ステップＳ２０８において制御手段２０は、報知手段２７に指示し、選択されている画像入力端子６より順位が上位で画像信号が入力されていない（無信号の）画像入力端子６があることを報知し、ステップＳ２０９に遷移する。ステップＳ２０８が報知ステップに相当する。
【００５４】
ステップＳ２０９において制御手段２０は、タイマー２０１による計時を停止し、ステップＳ２１０に遷移する。
【００５５】
ステップＳ２１０において制御手段２０は、画像入力選択手段１８により選択されている画像入力端子６に入力される画像信号に基づく画像を画像投写手段１０により投写させ、ステップＳ２２０に遷移する。
【００５６】
ステップＳ２１５において制御手段２０は、いずれの画像入力端子６にも画像信号が入力されていない警告メッセージＭ１（信号なしメッセージ）を画像投写手段１０により投写し、ステップＳ２１６に遷移する。警告メッセージＭ１を図９に示す。
【００５７】
ステップＳ２１６において制御手段２０は、タイマー２０１による計時を停止し、ステップＳ２２０に遷移する。
【００５８】
ステップＳ２２０において本動作フローを終了する。
【００５９】
（画像信号の検出状態を定期的に監視する動作のとき）
図６に示すように、プロジェクター１００が、画像入力端子６の各々に入力される画像信号の検出状態を監視する時（ステップＳ３０１）、制御手段２０は、画像信号検出手段１５により画像入力端子６の各々の画像信号検出状態を取得し（ステップＳ３０２）、ステップＳ３０３に遷移する。なお、本動作フローは定期的（たとえば５秒ごと）に実行される。
【００６０】
ステップＳ３０３において制御手段２０は、ステップＳ３０２において取得した画像信号検出状態に基づき、選択されている画像入力端子６に画像信号が検出されたか否かを調べる。選択されている画像入力端子６に画像信号が検出された場合（ステップＳ３０３：Ｙ）、ステップＳ３０４に遷移する。選択されている画像入力端子６に画像信号が検出されなかった場合（ステップＳ３０３：Ｎ）、ステップＳ３０５に遷移する。
【００６１】
ステップＳ３０４において制御手段２０は、ステップＳ３０２において取得した画像信号検出状態に基づき、選択されている画像入力端子６より順位が上位で画像信号が検出された画像入力端子６があるか否かを調べる。選択されている画像入力端子６より順位が上位で画像信号が検出された画像入力端子６がある場合（ステップＳ３０４：Ｙ）、ステップＳ３０６に遷移する。選択されている画像入力端子６より順位が上位で画像信号が検出された画像入力端子６がない場合（ステップＳ３０４：Ｎ）、ステップＳ３０９に遷移する。
【００６２】
ステップＳ３０５において制御手段２０は、ステップＳ３０２において取得した画像信号検出状態に基づき、選択されている画像入力端子６の他に画像信号が検出された画像入力端子６があるか否かを調べる。選択されている画像入力端子６の他に画像信号が検出された画像入力端子６がある場合（ステップＳ３０５：Ｙ）、ステップＳ３０６に遷移する。選択されている画像入力端子６の他に画像信号が検出された画像入力端子６がない場合（ステップＳ３０５：Ｎ）、ステップＳ３１１に遷移する。
【００６３】
ステップＳ３０６において制御手段２０は、画像入力選択手段１８に指示し、ステップＳ３０２において画像信号が検出された画像入力端子６のうち、順位が最も上位の画像入力端子６に切り替え、ステップＳ３０７に遷移する。
【００６４】
ステップＳ３０７において制御手段２０は、選択された画像入力端子６の順位が順位１であるか否かを調べる。選択された画像入力端子６が順位１である場合（ステップＳ３０７：Ｙ）、ステップＳ３０８に遷移する。選択された画像入力端子が順位１でない場合（ステップＳ３０７：Ｎ）、ステップＳ３０９に遷移する。
【００６５】
ステップＳ３０８において制御手段２０は、報知手段２７により報知がされていた場合、報知を終了させ、ステップＳ３０９に遷移する。
【００６６】
ステップＳ３０９において制御手段２０は、画像入力選択手段１８により選択されている画像入力端子６に入力される画像信号に基づく画像を画像投写手段１０により投写させ、ステップＳ３２０に遷移する。
【００６７】
ステップＳ３１１において制御手段２０は、いずれの画像入力端子６にも画像信号が入力されていない警告メッセージＭ１（信号なしメッセージ）を画像投写手段１０により投写し、ステップＳ３２０に遷移する。警告メッセージＭ１を図９に示す。
【００６８】
ステップＳ３２０において本動作フローを終了する。
【００６９】
以上説明したように、本実施形態のプロジェクター１００によれば、順位設定手段２０２により複数の画像入力端子６の各々に順位が設定され、選択されている画像入力端子６に画像信号が入力されない状態で時間Ｔ１を経過した場合に、次の順位の画像入力端子６に切り替わるとともに、上位に画像信号が入力されない画像入力端子６があることが報知手段２７により報知される。
これによって、一時的に画像信号が途切れることが発生しても画像入力端子６が短時間で複数回切り替わるような見にくい状態を防止することができ、また選択されている画像入力端子６に画像信号が入力されない状態で時間Ｔ１を経過したら順位が次の画像入力端子６に切り替えて画像の投写を継続することができる。
選択されている画像入力端子６に画像信号が入力されている場合、順位が下位の画像入力端子６に画像信号が入力されても画像入力端子６は切り替わらないので常に順位が上位の画像入力端子６の画像を表示することができる。また、順位が下位の画像入力端子６に切り替わった場合、順位が上位で画像信号が入力されない画像入力端子６があることをユーザーに報知し、対処を促すことが可能となる。
また、選択された画像入力端子６より順位が上位の画像入力端子６に画像信号が入力されたことが検出され場合に、検出された上位の画像入力端子６に切り替える。これにより、画像信号が入力されなくなり、順位が下位である画像入力端子６に切り替わった後で、上位の画像入力端子６に信号が入力されるようになった場合、ユーザーの手を煩わせることなく、自動的に上位の画像入力端子６に切り替えることが可能となる。
【００７０】
また、上記実施形態は、以下のように変更してもよい。
（変形例１）
上記実施形態において、報知手段２７は選択された画像入力端子６より順位が上位で画像信号が入力されない画像入力端子６があることを報知しているが、選択されている画像入力端子より順位が下位で画像信号が入力されている画像入力端子６が一つもない場合にも報知するようにしてもよい。これにより、プレゼンテーション開始時に画像を表示中の画像入力端子６に接続している外部機器に故障が生じたときに、代わりに画像を表示させられる外部機器が接続されていないことがわかるので、ユーザーに対処を促すことが可能となる。
【符号の説明】
【００７１】
１００…プロジェクター、６…画像入力端子、１０…画像投写手段、１１…光源、１２Ｒ，１２Ｇ，１２Ｂ…液晶ライトバルブ、１３…投写レンズ、１４…液晶駆動手段、１５…画像信号検出手段、１６…ＯＳＤ処理手段、１７…画像信号処理手段、１８…画像入力選択手段、２０…制御手段、２０１…タイマー、２０２…順位設定手段、２１…記憶手段、２２…光源制御手段、２３…入力操作手段、２４…操作信号受信手段、２５…リモートコントローラー（リモコン／ＲＣ）、２７…報知手段。
【図１】
2013171235.tif 000003
【図２】
2013171235.tif 000004
【図３】
2013171235.tif 000005
【図４】
2013171235.tif 000006
【図５】
2013171235.tif 000007
【図６】
2013171235.tif 000008
【図７】
2013171235.tif 000009
【図８】
2013171235.tif 000010
【図９】
2013171235.tif 000011